(57)【特許請求の範囲】
【請求項１】
画像データを記憶する記憶部と、
前記画像データのサンプル画像を表示し、前記画像データの購入注文を受け付けるタッチパネルと、
前記購入注文を受け付けると、サーバ装置における前記画像データに対応する動画データの保存場所情報を生成する保存場所情報生成部と、
前記保存場所情報をコード化してコード画像を生成するコード化処理部と、
前記画像データと前記コード画像とを合成して合成画像を生成する画像合成部と、
前記合成画像を印画紙にプリントして出力するプリンタと、
を備え、
前記保存場所情報生成部は、前記動画データの保存場所を特定可能な元番号に、購入注文毎に異なる追加桁番号を付加して、前記保存場所情報を生成することを特徴とする画像プリント装置。
【請求項２】
画像プリント装置へ画像データを送信し、携帯端末へ前記画像データに対応する動画データを送信するサーバ装置であって、
前記画像データ及び前記動画データを保存する記憶部と、
前記画像プリント装置へ前記画像データを送信する画像データ送信部と、
前記画像プリント装置からの要求に応じて前記動画データの保存場所情報を前記画像プリント装置へ送信する保存場所情報送信部と、
前記画像データ、及び前記保存場所情報をコード化したコード画像が前記画像プリント装置によりプリントされたプリント物から前記コード画像を読み取り、読み取ったコード画像から前記保存場所情報を取得してアクセスしてきた前記携帯端末へ、前記動画データを送信する動画データ送信部と、
を備え、
前記動画データ送信部は、前記携帯端末が前記プリント物から読み取った画像の特徴点と、前記記憶部に保存された画像データの特徴点とが一致した場合に、前記携帯端末へ前記動画データを送信することを特徴とするサーバ装置。
【請求項３】
画像プリント装置へ画像データを送信し、携帯端末へ前記画像データに対応する動画データを送信するサーバ装置であって、
前記画像データ及び前記動画データを保存する記憶部と、
前記画像プリント装置へ前記画像データを送信する画像データ送信部と、
前記画像プリント装置からの要求に応じて前記動画データの保存場所情報を前記画像プリント装置へ送信する保存場所情報送信部と、
前記画像データ、及び前記保存場所情報をコード化したコード画像が前記画像プリント装置によりプリントされたプリント物から前記コード画像を読み取り、読み取ったコード画像から前記保存場所情報を取得してアクセスしてきた前記携帯端末へ、前記動画データを送信する動画データ送信部と、
を備え、
前記記憶部は、１つの動画データに対し複数の保存場所情報を設定した管理情報を記憶し、
前記保存場所情報送信部は、前記画像プリント装置からの要求の度に異なる保存場所情報を送信することを特徴とするサーバ装置。
【請求項４】
アクセスしてきた携帯端末の端末情報を取得する端末情報取得部をさらに備え、
前記管理情報には、１つの保存場所情報を利用して動画再生可能な端末台数の上限値が設定されており、
取得した端末情報に基づいて、１つの保存場所情報を利用してアクセスしてきた携帯端末の台数をカウントし、カウント値が前記上限値に達した後は、同一の保存場所情報を利用してアクセスしてきた新たな携帯端末へは動画データを送信しないことを特徴とする請求項３に記載のサーバ装置。
【請求項５】
前記記憶部は１つの画像データに対応する複数の動画データを保存し、
前記管理情報には、動画データ毎に再生条件が設定されており、
前記動画データ送信部は、再生条件に合う動画データを携帯端末へ送信することを特徴とする請求項３又は４に記載のサーバ装置。
【請求項６】
前記再生条件には、アクセス時刻及び前記携帯端末の位置の少なくともいずれか一方が定義されていることを特徴とする請求項５に記載のサーバ装置。
【請求項７】
請求項２乃至６のいずれかに記載のサーバ装置から受信した画像データを記憶する記憶部と、
前記画像データのサンプル画像を表示し、前記画像データの購入注文を受け付けるタッチパネルと、
前記購入注文を受け付けると、前記サーバ装置から前記画像データに対応する動画データの保存場所情報を取得する保存場所情報取得部と、
前記保存場所情報をコード化してコード画像を生成するコード化処理部と、
前記画像データと前記コード画像とを合成して合成画像を生成する画像合成部と、
前記合成画像を印画紙にプリントして出力するプリンタと、
を備え、
前記タッチパネルに表示する前記サンプル画像は、ダミーのコード画像を含むことを特徴とする画像プリント装置。
【請求項８】
前記サーバ装置から前記コード画像のプリント位置情報を受信し、前記プリント位置情報に基づいて前記合成画像を生成することを特徴とする請求項７に記載の画像プリント装置。
【発明の詳細な説明】
【技術分野】
【０００１】
本発明は、携帯端末においてＡＲ技術により動画コンテンツを表示するためのサーバ装置、画像プリント装置、及び動画データ配信システムに関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データの画像を表示し、利用者に提示する。そして、利用者が、プリントする画像を選択し、プリントサイズやプリント枚数を指定すると、画像プリント装置は画像を指定されたサイズでプリント出力する。このような画像プリント装置においては、利用者のニーズが多様化しており、常に新たな機能が求められている。
【０００３】
従来、タブレット端末やスマートフォン等の携帯端末で撮影した現実空間の画像上に、仮想物体等の画像を重畳して表示する拡張現実（ＡＲ：Ａｕｇｍｅｎｔｅｄ  Ｒｅａｌｉｔｙ）技術が知られている（例えば特許文献１、２参照）。
【先行技術文献】
【特許文献】
【０００４】
【特許文献１】特開２０１１−８７５２号公報
【特許文献２】特表２０１２−５０３２２８号公報
【発明の概要】
【発明が解決しようとする課題】
【０００５】
本発明は、上記従来の実状に鑑みてなされたものであり、画像プリント装置から出力されたプリント物を携帯端末で撮影することで、プリント物に動画が重畳して再生されるように携帯端末へ動画データを配信するサーバ装置及び動画データ配信システムを提供することを課題とする。また、本発明は、携帯端末で撮影することで動画が重畳して再生されるようなプリント物を出力する画像プリント装置を提供することを課題とする。
【課題を解決するための手段】
【０００６】
本発明の一態様による動画データ配信システムは、画像データを記憶する画像プリント装置と、携帯端末へ前記画像データに対応する動画データを送信するサーバ装置とを備える動画データ配信システムであって、前記画像プリント装置は、前記画像データの購入注文を受け付けると、前記動画データの保存場所情報を生成し、前記保存場所情報をコード化してコード画像を生成し、前記画像データと前記コード画像とを合成した合成画像を印画紙にプリントしてプリント物を出力し、前記サーバ装置は、前記プリント物から前記コード画像を読み取り、読み取ったコード画像から前記保存場所情報を取得してアクセスしてきた前記携帯端末へ、前記動画データを送信することを特徴とする。
【０００７】
本発明の一態様による画像プリント装置は、画像データを記憶する記憶部と、前記画像データのサンプル画像を表示し、前記画像データの購入注文を受け付けるタッチパネルと、前記購入注文を受け付けると、サーバ装置における前記画像データに対応する動画データの保存場所情報を生成する保存場所情報生成部と、前記保存場所情報をコード化してコード画像を生成するコード化処理部と、前記画像データと前記コード画像とを合成して合成画像を生成する画像合成部と、前記合成画像を印画紙にプリントして出力するプリンタと、を備えるものである。
【０００８】
本発明の一態様による画像プリント装置は、前記保存場所情報生成部は、前記動画データの保存場所を特定可能な元番号に、購入注文毎に異なる追加桁番号を付加して、前記保存場所情報を生成することを特徴とする。
【０００９】
本発明の一態様によるサーバ装置は、画像データ及び前記画像データに対応する動画データを保存し、前記動画データを携帯端末へ送信するサーバ装置であって、前記画像データ、及び前記動画データの保存場所情報をコード化したコード画像がプリントされたプリント物から前記コード画像を読み取り、読み取ったコード画像から前記保存場所情報を取得してアクセスしてきた前記携帯端末へ、前記動画データを送信することを特徴とする。
【００１０】
本発明の一態様による動画データ配信システムは、画像プリント装置と、前記画像プリント装置へ画像データを送信し、携帯端末へ前記画像データに対応する動画データを送信するサーバ装置とを備える動画データ配信システムであって、前記画像プリント装置は、前記画像データの購入注文を受け付けると、前記サーバ装置から前記動画データの保存場所情報を取得し、前記保存場所情報をコード化してコード画像を生成し、前記画像データと前記コード画像とを合成した合成画像を印画紙にプリントしてプリント物を出力し、前記サーバ装置は、前記プリント物から前記コード画像を読み取り、読み取ったコード画像から前記保存場所情報を取得してアクセスしてきた携帯端末へ、前記動画データを送信することを特徴とする。
【００１１】
本発明の一態様によるサーバ装置は、画像プリント装置へ画像データを送信し、携帯端末へ前記画像データに対応する動画データを送信するサーバ装置であって、前記画像データ及び前記動画データを保存する記憶部と、前記画像プリント装置へ前記画像データを送信する画像データ送信部と、前記画像プリント装置からの要求に応じて前記動画データの保存場所情報を前記画像プリント装置へ送信する保存場所情報送信部と、前記画像データ、及び前記保存場所情報をコード化したコード画像が前記画像プリント装置によりプリントされたプリント物から前記コード画像を読み取り、読み取ったコード画像から前記保存場所情報を取得してアクセスしてきた前記携帯端末へ、前記動画データを送信する動画データ送信部と、を備えるものである。
【００１２】
本発明の一態様によるサーバ装置は、前記動画データ送信部は、前記携帯端末が前記プリント物から読み取った画像の特徴点と、前記記憶部に保存された画像データの特徴点とが一致した場合に、前記携帯端末へ前記動画データを送信することを特徴とする。
【００１３】
本発明の一態様によるサーバ装置は、前記記憶部は、１つの動画データに対し複数の保存場所情報を設定した管理情報を記憶し、前記保存場所情報送信部は、前記画像プリント装置からの要求の度に異なる保存場所情報を送信することを特徴とする。
【００１４】
本発明の一態様によるサーバ装置は、アクセスしてきた携帯端末の端末情報を取得する端末情報取得部をさらに備え、前記管理情報には、１つの保存場所情報を利用して動画再生可能な端末台数の上限値が設定されており、取得した端末情報に基づいて、１つの保存場所情報を利用してアクセスしてきた携帯端末の台数をカウントし、カウント値が前記上限値に達した後は、同一の保存場所情報を利用してアクセスしてきた新たな携帯端末へは動画データを送信しないことを特徴とする。
【００１５】
本発明の一態様によるサーバ装置は、前記記憶部は１つの画像データに対応する複数の動画データを保存し、前記管理情報には、動画データ毎に再生条件が設定されており、前記動画データ送信部は、再生条件に合う動画データを携帯端末へ送信することを特徴とする。
【００１６】
本発明の一態様によるサーバ装置は、前記再生条件には、アクセス時刻及び前記携帯端末の位置の少なくともいずれか一方が定義されていることを特徴とする。
【００１７】
本発明の一態様による画像プリント装置は、上記サーバ装置から受信した画像データを記憶する記憶部と、前記画像データのサンプル画像を表示し、前記画像データの購入注文を受け付けるタッチパネルと、前記購入注文を受け付けると、前記サーバ装置から前記画像データに対応する動画データの保存場所情報を取得する保存場所情報取得部と、前記保存場所情報をコード化してコード画像を生成するコード化処理部と、前記画像データと前記コード画像とを合成して合成画像を生成する画像合成部と、前記合成画像を印画紙にプリントして出力するプリンタと、を備えるものである。
【００１８】
本発明の一態様による画像プリント装置は、前記サーバ装置から前記コード画像のプリント位置情報を受信し、前記プリント位置情報に基づいて前記合成画像を生成することを特徴とする。
【００１９】
本発明の一態様による画像プリント装置は、前記タッチパネルに表示する前記サンプル画像は、ダミーのコード画像を含むことを特徴とする。
【発明の効果】
【００２０】
本発明によれば、画像プリント装置から出力されたプリント物を携帯端末で撮影することで、プリント物に動画が重畳して再生されるように携帯端末へ動画データを配信する。
【図面の簡単な説明】
【００２１】
【図１】本実施形態に係る動画データ配信システムの概略構成図である。
【図２】画像プリント装置から出力されるプリント物の例を示す図である。
【図３】サーバ装置の構成図である。
【図４】管理情報の一例を示す図である。
【図５】画像プリント装置の構成図である。
【図６】画像販売プログラムを実行することで実現される機能ブロック図である。
【図７】画像プリント装置における画像購入時の表示画面の例を示す図である。
【図８】携帯端末の構成図である。
【図９】動画再生アプリを実行することで実現される機能ブロック図である。
【図１０】本実施形態に係る動画データ配信方法を説明するシーケンス図である。
【図１１】管理情報の一例を示す図である。
【図１２】管理情報の一例を示す図である。
【発明を実施するための形態】
【００２２】
以下、本発明の実施の形態を図面に基づいて説明する。
【００２３】
図１は、本実施形態に係る動画データ配信システムの概略構成図である。図１に示すように、動画データ配信システムは、サーバ装置１及び画像プリント装置２を備える。サーバ装置１は、画像データと、この画像データに対応する動画データとを保存している。サーバ装置１は、画像データと、対応する動画データにアクセスするための保存場所情報（例えばＵＲＬ）を画像プリント装置２へ送信する。
【００２４】
画像データは、例えば、スポーツ選手や有名人等の人物、動物、車などの画像のデータであり、動画データは、画像内の対象物が動いたり音声を出したりしている動画のデータである。以下、画像データが人物画像のデータである場合について説明する。
【００２５】
画像プリント装置２は、ユーザから料金が支払われると、サーバ装置１から受信した保存場所情報をコード化して二次元コードを生成する。そして、画像プリント装置２は、二次元コード画像と、サーバ装置１から受信した画像データに基づく人物画像とを合成し、合成画像を印画紙にプリントしてプリント物３を出力する。これにより、図２に示すように、人物画像３１及び二次元コード３２がプリントされたプリント物３が作成される。
【００２６】
ユーザは、スマートフォンやタブレット機器等の携帯端末４を有しており、この携帯端末４には動画データを再生するためのプログラム（動画再生アプリ）が記憶されている。携帯端末４がこのプログラムを実行すると、二次元コードを読み取るために携帯端末４のカメラ機能が起動する。ユーザが携帯端末４のカメラでプリント物３上の二次元コード３２を撮影すると、携帯端末４は二次元コード３２を読み取って保存場所情報を取得し、サーバ装置１にアクセスする。
【００２７】
携帯端末４は、サーバ装置１から画像データを取得するとともに、携帯端末４のカメラでプリント物３の人物画像３１を撮影するようユーザに指示する。ユーザが携帯端末４のカメラで人物画像３１を撮影すると、携帯端末４は、撮影された人物画像３１と、サーバ装置１から取得した画像との特徴点を比較して照合する。照合により２つの画像が一致した場合、携帯端末４はサーバ装置１から人物画像３１に対応する動画データを取得し、ディスプレイ上で動画を再生する。動画再生には公知のＡＲ技術が用いられ、携帯端末４のカメラで撮影しているプリント物３に動画が重畳して再生される。
【００２８】
このように、動画データ配信システムでは、画像プリント装置２により、人物画像３１及び二次元コード３２がプリントされたプリント物３を販売する。プリント物３を購入したユーザは、携帯端末４で二次元コードを読み取り、サーバ装置１にアクセスして動画データを受信・再生し、人物画像３１に対応する動画を視聴することができる。
【００２９】
図３はサーバ装置１の構成図である。サーバ装置１は、画像データ送信部１０、保存場所情報送信部１１、端末情報取得部１２、動画データ送信部１３、動画配信管理部１４、及びデータベース１５を備え、例えばコンピュータにより構成される。
【００３０】
データベース（記憶部）１５は、画像データ、動画データ、及び管理情報を格納する。画像データ及び動画データは、例えばライセンサから提供されたものである。
【００３１】
図４に管理情報の一例を示す。管理情報は、複数のボックスに区分けされており、各ボックスには保存場所情報、販売可能数、再生可能デバイス数、画像情報、及び動画情報が含まれる。管理情報は、画像販売及び動画配信の管理単位でボックス分けされている。
【００３２】
販売可能数は、プリント物３の販売可能枚数（上限枚数）である。保存場所情報は、動画再生に際しサーバ装置１にアクセスするために必要な情報であり、これがコード化された二次元コード３２がプリント物３にプリントされる。例えば、ボックス００１に対応する画像販売では、販売可能数Ｘ１と同数の保存場所情報が準備される。これらＸ１個の保存場所情報は互いに異なるＵＲＬであるが、サーバ装置１の内部での変換処理により、同一のボックス（ボックス００１）が参照され、同一の動画データが再生されるようになっている。
【００３３】
保存場所情報送信部１１は、画像プリント装置２からの要求に応じて、複数の保存場所情報のうち、未送信の保存場所情報のいずれかを画像プリント装置２へ送信する。これにより、画像プリント装置２で販売されるプリント物３は、人物画像３１が同じであっても、二次元コード３２が異なったものとなる。
【００３４】
プリント物３の販売枚数が販売可能数に達すると、未送信の保存場所情報がなくなるため、サーバ装置１は売り切れとなったことを画像プリント装置２に通知する。
【００３５】
再生可能デバイス数は、１枚のプリント物３で動画を再生できる携帯端末４の台数を示す。このため、端末情報取得部１２は、動画データを要求する携帯端末４の個体識別情報を取得する。動画配信管理部１４は、携帯端末４がサーバ装置１にアクセスしてきた際の保存場所情報と、携帯端末４の個体識別情報とを対応付けて記憶しておき、同一の保存場所情報を利用してアクセスした携帯端末４の台数をカウントする。カウント値が再生可能デバイス数に達した後、同じ保存場所情報を利用してさらに他の携帯端末４からアクセスがあった場合、動画配信管理部１４は動画再生を拒否する。
【００３６】
販売可能数及び再生可能デバイス数は、画像データ及び動画データを提供するライセンサが設定してもよい。販売可能数を設定せず、保存場所情報を１種類としてもよい。また、再生可能デバイス数を設定しなくてもよい。
【００３７】
画像情報は、販売する画像データについての情報を示す。動画情報は、画像データに対応する動画データについての情報を示す。
【００３８】
画像データ送信部１０は、画像プリント装置２及び携帯端末４へ画像データを送信する。例えば、画像データ送信部１０は、画像データ及び動画データがサーバ装置１に登録されると、画像プリント装置２へ画像データを送信する。また、画像データ送信部１０は、携帯端末４が保存場所情報に基づいてサーバ装置１にアクセスした場合、この保存場所情報に対応するボックスの画像情報を参照し、画像データを携帯端末４へ送信する。例えば、保存場所情報がボックス００１に含まれるものである場合、画像データ送信部１０は携帯端末４へ画像データＰ１を送信し、保存場所情報がボックス００２に含まれるものである場合、画像データ送信部１０は携帯端末４へ画像データＰ２を送信する。
【００３９】
動画データ送信部１３は、携帯端末４からの要求に応じて、携帯端末４へ動画データを送信する。携帯端末４へ送信する動画データは、携帯端末４へ送信した画像データに対応したものである。
【００４０】
図５は、画像プリント装置２のブロック構成図である。図５に示すように、画像プリント装置２は、ＣＰＵ（中央処理部）２０、タッチパネル（表示部、操作部）２１、課金部２２、プリンタ２３、通信部２４、及びメモリ２５を有する。画像プリント装置２は、通信部２４を介してサーバ装置１と通信可能に接続されている。
【００４１】
課金部２２は、投入された貨幣を識別計数し、釣銭を出金する。プリンタ２３は、例えば昇華型熱転写方式の高解像度カラープリンタである。
【００４２】
メモリ２５は、制御プログラム、画像販売プログラム、及びサーバ装置１から受信した画像データを記憶する。メモリ２５は、フラッシュメモリタイプ、ハードディスクタイプ、マルチメディアカードマイクロタイプ、カードタイプのメモリ（例えば、ＳＤ又はＸＤメモリなど）、ＲＡＭ（Random  Access  Memory）、ＳＲＡＭ（Static  Random  Access  Memory）、ＲＯＭ（Read-Only  Memory）、ＥＥＰＲＯＭ（Electrically  Erasable  Programmable  Read-Only  Memory）、ＰＲＯＭ（Programmable  Read-Only  Memory）、磁気メモリの少なくとも１つのタイプの記憶媒体を含む。
【００４３】
ＣＰＵ２０が制御プログラムを実行することで、画像プリント装置２の各部を制御する制御部として機能する。
【００４４】
ＣＰＵ２０が画像販売プログラムを実行することで、図６に示すように、サンプル画像表示部２６、保存場所情報取得部２７、コード化処理部２８、及び画像合成部２９が実現され、プリント物３の販売が行えるようになる。
【００４５】
サンプル画像表示部２６は、サーバ装置１から受信した画像データを用いて、図７に示すように、タッチパネル２１にプリント物３のサンプル画像７０を表示する。ユーザが購入画像を選択して料金を支払うと、保存場所情報取得部２７は購入された画像に対応する保存場所情報をサーバ装置１から取得する。
【００４６】
コード化処理部２８は、保存場所情報取得部２７が取得した保存場所情報をコード化して二次元コード画像を生成する。画像合成部２９は、購入された画像に二次元コード画像を合成して合成画像を作成する。この合成画像をプリンタ２３が印画紙にプリントすることで、プリント物３が出力される。
【００４７】
画像プリント装置２は、デジタルカメラ等で撮影した画像データが記憶された記憶媒体から画像データを読み取り、読み取った画像をタッチパネル２１に表示し、ユーザから画像の選択、プリントサイズやプリント枚数の指定を受け付け、プリンタ２３により画像をプリント出力する機能を備えていてもよい。
【００４８】
図８は、携帯端末４のブロック構成図である。携帯端末４は、ＣＰＵ４０、メモリ４１、カメラ４２、通信部４３、ＧＰＳ４４、及びディスプレイ（タッチパネル）４５を備える。
【００４９】
メモリ４１は、動画再生アプリ（アプリケーションプログラム）を記憶する。メモリ４１は、フラッシュメモリタイプ、ハードディスクタイプ、マルチメディアカードマイクロタイプ、カードタイプのメモリ（例えば、ＳＤ又はＸＤメモリなど）、ＲＡＭ、ＳＲＡＭ、ＲＯＭ、ＥＥＰＲＯＭ、ＰＲＯＭ、磁気メモリの少なくとも１つのタイプの記憶媒体を含む。
【００５０】
ＣＰＵ４０が動画再生アプリを実行することで、図９に示すように、画像取得部４６、特徴点比較部４７、及び動画再生部４８が実現され、動画の再生が行えるようになる。
【００５１】
画像取得部４６は、カメラ４２を用いてプリント物３にプリントされた二次元コード３２から保存場所情報を読み取り、通信部４３を介してサーバ装置１にアクセスし、人物画像３１に対応する画像データを取得する。また、画像取得部４６はカメラ４２を用いて人物画像３１を取得する。
【００５２】
特徴点比較部４７は、サーバ装置１から取得した画像と、カメラ４２で撮影したプリント物３の人物画像３１との特徴点を比較する。特徴点が合致した場合、動画再生部４８は、サーバ装置１から動画データを受信する。特徴点が不一致の場合、ディスプレイ４５に再生不可であることが表示される。
【００５３】
動画再生部４８は、公知のＡＲ技術を用いて、受信した動画データを、カメラ４２で撮影している人物画像３１に重畳させて再生する。例えば、検出した人物画像３１の特徴点を追跡してカメラ４２の位置姿勢を推定し、カメラ画像と動画の位置合わせを行う。
【００５４】
ＧＰＳ４４は携帯端末４の位置情報を取得し、サーバ装置１からの要求に応じて位置情報をサーバ装置１に通知する。
【００５５】
図１０は、本実施形態による画像販売及び動画再生の処理の流れを示す図である。ライセンサから販売画像及び動画が提供され、販売可能数や再生可能デバイス数が設定されると、これらの情報を含む管理情報がデータベース１５に登録される（ステップＳ１０１）。サーバ装置１は、販売可能数に対応する数の保存場所情報を生成し、管理情報内に格納する。管理情報の登録に伴い、サーバ装置１は画像プリント装置２へ画像データを送信する（ステップＳ１０２）。サーバ装置１から画像プリント装置２への画像データの送信タイミングは任意である。
【００５６】
送信された画像データはメモリ２５に記憶される。これにより、画像プリント装置２で画像の販売が開始される。サンプル画像表示部２６は、画像データを用いて、図７に示すように、タッチパネル２１にプリント物３のサンプル画像７０を表示する。
【００５７】
ユーザが、画像プリント装置２を操作して画像を購入し、料金を支払うと（ステップＳ１０３）、画像プリント装置２の保存場所情報取得部２７は購入された画像に対応する動画データの保存場所情報をサーバ装置１に要求する（ステップＳ１０４）。
【００５８】
サーバ装置１は、画像プリント装置２からの要求に基づいて、データベース１５内の管理情報の対応するボックスを参照し、未送信の保存場所情報を画像プリント装置２へ送信する（ステップＳ１０５）。例えば、データベース１５に図４に示す管理情報が保存され、ステップＳ１０３で購入された画像が画像Ｐ１である場合、サーバ装置１は、ボックス００１に含まれる未送信の保存場所情報を送信する。管理情報内の送信された保存場所情報には、送信済のフラグが設定される。
【００５９】
画像プリント装置２は、サーバ装置１から保存場所情報を取得すると、コード化処理部２８がこの保存場所情報をコード化し、二次元コード画像を生成する。そして、画像合成部２９が、この二次元コード画像と、ステップＳ１０３で購入された画像とを合成して、合成画像を生成する（ステップＳ１０６）。
【００６０】
プリンタ２３が、この合成画像を印画紙にプリントして出力する（ステップＳ１０７）。これにより、ユーザは、人物画像３１及び二次元コード３２がプリントされたプリント物３を入手することができる（ステップＳ１０８）。
【００６１】
ユーザが、携帯端末４の動画再生アプリを実行すると、カメラ４２が起動し、ディスプレイ４５上に二次元コードの読み取り指示が表示される（ステップＳ１０９）。カメラ４２でプリント物３の二次元コード３２を撮影することで、携帯端末４は保存場所情報を取得する（ステップＳ１１０）。
【００６２】
携帯端末４の画像取得部４６は、保存場所情報に基づき、通信部４３を介してサーバ装置１にアクセスし、画像データを要求する（ステップＳ１１１）。サーバ装置１は、携帯端末４からアクセスされた際の保存場所情報に対応する管理情報のボックスを参照し、画像データを携帯端末４へ送信する（ステップＳ１１２）。例えば、保存場所情報がボックス００１に含まれるものである場合、サーバ装置１は画像データＰ１を携帯端末４へ送信する。
【００６３】
携帯端末４がサーバ装置１から画像データを受信すると、ディスプレイ４５上に人物画像３１の読み取り指示が表示される。カメラ４２でプリント物３の人物画像３１を撮影すると、特徴点比較部４７が、サーバ装置１から受信した画像と、カメラ４２で撮影した人物画像３１との特徴点を比較する（ステップＳ１１３）。特徴点が合致すると、携帯端末４はサーバ装置１に対し動画データを要求する（ステップＳ１１４）。
【００６４】
サーバ装置１は、ステップＳ１１２で携帯端末４へ送信した画像データに対応する動画データを携帯端末４へ送信する（ステップＳ１１５）。例えば、サーバ装置１は、管理情報のボックス００１を参照し、画像データＰ１に対応する動画データＭ１を携帯端末４へ送信する。
【００６５】
携帯端末４が動画データを受信すると、動画再生部４８が、公知のＡＲ技術を用いて、カメラ４２で撮影している人物画像３１に重畳させて動画データを再生する（ステップＳ１１６）。これにより、ディスプレイ４５では、プリント物３内の人物画像３１が動き出したように動画が再生される。
【００６６】
このように、本実施形態によれば、画像プリント装置２から出力されたプリント物３を携帯端末４で撮影することで、プリント物３に動画が重畳して再生されるように携帯端末４へ動画データを配信することができる。
【００６７】
また、サーバ装置１のデータベース１５に保存された管理情報で、販売可能数や再生可能デバイス数を設定することで、プリント物３の発行枚数や、動画再生端末数を制限することができる。例えば、発行枚数を制限することで、プリント物３の価値を上げることができる。また、動画再生端末数を制限することで、プリント物３の複製・頒布を抑制できる。
【００６８】
ユーザ（携帯端末４）の位置や、動画再生時刻により、異なる動画が再生されるようにしてもよい。この場合、図１１に示すように、管理情報には、位置や時刻等の条件に応じた複数の動画が定義される。ユーザ（携帯端末４）の位置は、ＧＰＳ４４により取得される。例えば、条件１に時刻５：００〜１０：００、条件２に時刻１０：００〜１８：００、条件３に時刻１８：００〜５：００が設定されている場合、朝、昼、夜で再生される動画を変えることができる。
【００６９】
条件に“位置”を設定した場合、特定の場所で特定の動画が再生される。例えば、イベント会場において動画再生を行うことで、イベントに関連した特別な動画を視聴可能にできる。
【００７０】
管理情報の条件には、位置や時刻だけでなく、携帯端末４から取得可能な様々なデバイス情報（メーカ、設定言語、モデル名、ＩＰアドレスゾーン、ネットワークセグメント）を設定することができる。管理情報の条件に動画再生アプリを特定する識別情報が設定され、端末情報取得部１２が携帯端末４にインストールされている動画再生アプリの識別情報を取得するようにしてもよい。
【００７１】
図１２に示すように、管理情報の１つのボックスに、複数の画像が設定されていてもよい。管理情報には、動画データの配信期間が設定されていてもよい。また、追加課金により動画データの配信期間が延長できるようにしてもよい。この場合、動画データの配信期間は、保存場所情報毎に異なったものとなる。
【００７２】
動画データ配信システムは、複数の画像プリント装置２を備えていてもよい。サーバ装置１が、画像プリント装置２毎に、画像の販売期間を設定してもよい。
【００７３】
サンプル画像表示部２６は、タッチパネル２１にサンプル画像７０を表示する際、サンプル画像７０内の二次元コードを、ダミー情報に基づく二次元コードとすることが好ましい。これにより、タッチパネル２１に表示されたサンプル画像７０を携帯端末で撮影して動画を再生するような行為を防止できる。
【００７４】
画像プリント装置２からの要求に応じてサーバ装置１が保存場所情報を送信する際、二次元コードのプリント位置情報もあわせて送信してもよい。画像合成部２９は、プリント位置情報に基づいて、ユーザが購入した画像に二次元コード画像を合成し、合成画像を作成する。このように、二次元コードのプリント位置を指定することで、人物画像の品質を低下させずに、二次元コードをプリントすることができる。コードプリント位置情報は、画像データを提供するライセンサが決定してもよい。コードプリント位置情報は、サーバ装置１が画像プリント装置２に画像データを送信する際に（図１０のステップＳ１０２）あわせて送信してもよい。
【００７５】
ユーザが同一の画像を複数枚購入した場合、サーバ装置１が画像プリント装置２に送信する保存場所情報は、購入枚数と同数でもよいし、１つでもよい。購入枚数と同数の保存場所情報を送信する場合、プリント出力される複数のプリント物３には、それぞれ異なる二次元コードがプリントされる。保存場所情報が１つの場合、サーバ装置１は、この保存場所情報に対応する再生可能デバイス数を増やすように、管理情報を更新してもよい。
【００７６】
上記実施形態では、サーバ装置１から画像プリント装置２へ画像データを送信する例について説明したが、画像データを格納した記憶媒体を画像プリント装置２に接続するなどにより、画像プリント装置２のメモリ２５に画像データを書き込んでもよい。
【００７７】
上記実施形態では、サーバ装置１が保存場所情報を生成し、画像プリント装置２からの要求に応じて保存場所情報を送信する例について説明したが、画像プリント装置２が保存場所情報を生成（発行）し、この保存場所情報をコード化して二次元コード画像を生成してもよい。この場合、画像プリント装置２は、サーバ装置１内の対応するボックスが参照可能となる番号（以下、元番号と称する）に追加桁番号を付加して保存場所情報を生成する保存場所情報生成部を有する。画像が購入される毎に追加桁番号を変えることで、画像プリント装置２で販売されるプリント物３は、人物画像３１が同じであっても、二次元コード３２が異なったものとなる。保存場所情報は、追加桁番号が異なっていても、動画データの保存場所が特定可能となる元番号を含んでいるため、サーバ装置１の内部処理により、同一のボックスが参照されるようになっている。
【００７８】
動画データ配信システムが複数の画像プリント装置２を備えている場合は、追加桁番号に、画像プリント装置２の号機ＩＤを含めてもよい。これにより、各画像プリント装置２が互いに異なる保存場所情報を生成することができる。
【００７９】
このように画像プリント装置２が保存場所情報を生成することで、サーバ装置１における保存場所情報の管理負荷を軽減することができる。また、追加桁番号に上限を持たせることで、プリント物３の販売枚数を画像プリント装置２により管理することが可能となる。
【００８０】
サーバ装置１は、携帯端末４からアクセスされた際の保存場所情報を管理情報に登録し、再生可能デバイス数に基づき、登録された保存場所情報を利用して動画再生可能な携帯端末の台数を制限することができる。
【００８１】
画像プリント装置２が保存場所情報の生成に用いる元番号は、サーバ装置１から画像プリント装置２に通知してもよいし、係員が画像プリント装置２を操作してメモリ２５に書き込むようにしてもよい。
【００８２】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００８３】
１  サーバ装置
２  画像プリント装置
３  プリント物
４  携帯端末
【図１】
0006467945.tif 000002
【図２】
0006467945.tif 000003
【図３】
0006467945.tif 000004
【図４】
0006467945.tif 000005
【図５】
0006467945.tif 000006
【図６】
0006467945.tif 000007
【図７】
0006467945.tif 000008
【図８】
0006467945.tif 000009
【図９】
0006467945.tif 000010
【図１０】
0006467945.tif 000011
【図１１】
0006467945.tif 000012
【図１２】
0006467945.tif 000013